(57)【要約】【課題】  単体でも実用的で、低コストで、収納スペースも節約できるとともに、様々な用途や目的・人数に応じてその配置形態を容易に変更できる組合せテーブルを提供する。【解決手段】  底辺（長辺）と斜辺との角度が６０°である平面視二等辺台形の天板２と天板２の裏側に設けられた折り畳み可能な脚３〜６とからなるテーブル１である。テーブル１は、同一形状及び同一サイズの少なくとも２脚を用いて、各テーブル１の天板２の少なくとも１辺同士を対面させて配置することが可能である。【選択図】      図２
0003128323.tif 000002
【実用新案登録請求の範囲】
【請求項１】
平面視二等辺台形であり、その底辺（長辺）と斜辺との角度が６０°である天板と、この天板の裏側に設けられた脚とからなるテーブルであって、このテーブルは、同一形状及び同一サイズの少なくとも２台を用いて、各テーブルの天板の少なくとも１辺同士を対面させて配置することが可能であることを特徴とする組合せテーブル。
【請求項２】
脚は天板の裏面に沿うように折り畳み可能であることを特徴とする請求項１記載の組合せテーブル。
【請求項３】
３台のテーブルの各天板の上辺（短辺）及び一方の斜辺同士を対面させて配置し、テーブル全体の平面視形状を正三角形としたことを特徴とする請求項１又は請求項２記載の組合せテーブル。
【請求項４】
６台のテーブルの各天板の両斜辺同士を対面させて配置し、テーブル全体の平面視形状を正六角形としたことを特徴とする請求項１又は請求項２記載の組合せテーブル。
【考案の詳細な説明】
【技術分野】
【０００１】
本考案は、同一形状及び同一サイズの少なくとも２台のテーブルを様々な配置形態にして使用することが可能な組合せテーブルに関する。
【背景技術】
【０００２】
例えば日常使用する食卓や事務机等のテーブルは一般には、その天板は四角形や円形のものが多いが、生活様式の多様化や、機能性の追及、装飾性の要求等から、四角形や円形以外の形状（Ｌ字形、楕円形等）の天板や、分離可能又は折り畳み可能な天板を有するテーブルも増えている。
【０００３】
多人数で会議や会合等を行う場合、通常は四角形の机を複数台並べて対応することが多いが、特定形状の天板を有する２種類のテーブルを用いて各種形態に配置する組合せテーブルがある（例えば、特許文献１参照）。
【０００４】
この特許文献１記載のテーブルは、平面視多角形状（五角形）の天板を有するＡテーブルと平面視台形状の天板を有するＢテーブルとを用いて、或いはＡテーブル又はＢテーブルのどちらか一方のみを用いて、各テーブルの天板の辺端面同士を突き合わせて各種形態に配置するものである。また、この特許文献１には、底辺（長辺）と斜辺との角度が７５°の二等辺台形を１種類のテーブルとして用いることが開示されている。
【特許文献１】特開２００４−８９４５１
【考案の開示】
【考案が解決しようとする課題】
【０００５】
しかしながら、上記特許文献１記載の組合せテーブルでは、１種類のテーブルのみを用いるとしても、予めＡテーブルとＢテーブルの２種類のテーブルを用意しておくことが前提であるため、それだけコストが掛かる。特に、各種利用形態に対応するために天板の平面視形状だけでなく、角度や辺の長さを変えると、余計に製造コストが掛かることになる。また、平面視形状が五角形等の複雑な天板の場合、この天板を持つテーブルを単独で使用するには形状が複雑で置き場所にも困る上に、例えば事務机として使用するには置きスペースや天板上のスペースを有効に利用できず、単体では実用的でない。更には、ＡテーブルとＢテーブルの天板の形状が異なるので、Ａ，Ｂテーブルの収納スペースを多く必要とし、保管し難い。
【０００６】
この考案は、そのような問題点に着目してなされたものであって、単体でも実用的で、低コストで、収納スペースも節約できるとともに、様々な用途や目的・人数に応じてその配置形態を容易に変更できる組合せテーブルを提供することを目的としている。
【課題を解決するための手段】
【０００７】
上記課題を解決するために、本考案の組合せテーブルは、平面視二等辺台形であり、その底辺（長辺）と斜辺との角度が６０°である天板と、この天板の裏側に設けられた脚とからなるテーブルであって、このテーブルは、同一形状及び同一サイズの少なくとも２台を用いて、各テーブルの天板の少なくとも１辺同士を対面させて配置することが可能であることを特徴としている。
【０００８】
このテーブルにおいて、脚は天板の裏面に沿うように折り畳み可能であることで、テーブルを仕舞う場合に収納場所を取らず、保管が容易となる。
【０００９】
このテーブルの配置形態の具体例としては、３台のテーブルの各天板の上辺（短辺）及び一方の斜辺同士を対面させて配置し、テーブル全体の平面視形状を正三角形としたり、６台のテーブルの各天板の両斜辺同士を対面させて配置し、テーブル全体の平面視形状を正六角形としたりすることが可能である。このような配置形態では、配置後のテーブル全体の体裁が良くなり、テーブル全体の平面視形状をシンプルですっきりした形状にすることが可能となる。
【考案の効果】
【００１０】
請求項１記載の考案によれば、様々な用途や目的・人数に応じてその配置形態を容易に変更できる。また、同一形状及び同一サイズのテーブルを使用するので、製造コストを抑えることができるだけでなく、収納スペースも節約できる。
【００１１】
請求項２記載の考案によれば、テーブルを仕舞う場合に脚を折り畳んだ状態で積み重ねることができるので、収納場所を取らず、保管が容易となる。
【００１２】
請求項３，４記載の考案によれば、配置後のテーブル全体の体裁が良くなり、テーブル全体の平面視形状をシンプルですっきりした形状にすることが可能となる。
【考案を実施するための最良の形態】
【００１３】
以下、実施形態により、この考案をさらに詳細に説明する。
【００１４】
実施形態に係る組合せテーブルの天板の平面図を図１に示す。この天板２は、平面視二等辺台形を呈し、底辺（長辺）ａと斜辺ｃとの角度θ１及び底辺ａと斜辺ｄとの角度θ２がともに６０°である。天板２のサイズは、一例として底辺ａ＝１０００ｍｍ、上辺ｂ＝斜辺ｃ＝斜辺ｄ＝５００ｍｍである。天板２は木材、金属等からなる。なお、上記寸法は一例であり、組み合わせるテーブル１の台数や配置形態等に応じて適宜調整すればよい。
【００１５】
上記天板２を有するテーブル１の平面図を図２に、図２の矢視Ａから見た側面図を図３の（ａ）に、図２の矢視Ｂから見た側面図を図３の（ｂ）に示す。天板２の裏側において、上辺ｂと斜辺ｃとの間、上辺ｂと斜辺ｄとの間、底辺ａと斜辺ｃとの間、底辺ａと斜辺ｄとの間付近には、それぞれ脚３，４，５，６が一点鎖線で示すように天板２の裏面に沿うように折り畳み可能に取り付けられている。脚３〜６も木材、金属等からなり、通常の折り畳み可能な脚に用いられるのと同様の金具（図示せず）により天板２の裏側に取り付けられている。
【００１６】
このようなテーブル１は単体で使用してもよいが、用途や目的・人数に応じて同一形状及び同一サイズの少なくとも２台を用いて、各テーブル１の天板２の少なくとも１辺同士を対面させて配置することが可能であり、種々の配置例について図４〜図７を参照して説明する。図４の例では、２台のテーブル１Ａ，１Ｂの天板２Ａ，２Ｂの底辺同士を対面させて配置してあり、テーブル全体の平面視形状が正六角形になっている。
【００１７】
図５は３台のテーブル１Ａ，１Ｂ，１Ｃを用いた例で、（ａ）では天板２Ａの一方の斜辺、天板２Ｂの両方の斜辺、天板２Ｃの一方の斜辺を対面させて配置してあり、テーブル全体の平面視形状が細長くなっている。（ｂ）では各天板２Ａ，２Ｂ，２Ｃの上辺と斜辺を対面させて配置してあり、テーブル全体の平面視形状が正三角形である。
【００１８】
図６は５台のテーブル１Ａ〜１Ｅを用いた例で、天板２Ａは底辺のみ、天板２Ｂは上辺と一方の斜辺、天板２Ｃは上辺と両斜辺、天板２Ｄは上辺と一方の斜辺、天板２Ｅは全辺を対面させて配置してあり、テーブル全体の平面視形状が台形である。
【００１９】
図７は６台のテーブル１Ａ〜１Ｆを用いた例で、各天板２Ａ〜２Ｆの両斜辺を対面させて配置してあり、テーブル全体の平面視形状が正六角形である。この場合は、中央に正六角形のスペースが生じるので、このスペースに更に２台のテーブル１を置いてもよく、食事や宴会に大変便利な使い方である。
【００２０】
図４〜図７のように、テーブル１を２台以上用いることで、用途（食事、宴会、会席、会合等）や目的・人数に応じて様々な配置形態に容易に変更することができる。
【００２１】
しかも、同一形状及び同一サイズのテーブル１を組み合わせて配置するので、テーブル全体の平面視形状をシンプルですっきりした形状にすることが可能となるだけでなく、製造コストを抑制できる。その上、各テーブル１を仕舞う場合には、脚３〜６を折り畳んで積み重ねておけば収納場所を取らず、保管が容易となる。
【図面の簡単な説明】
【００２２】
【図１】実施形態に係る組合せテーブルの天板の平面図である。
【図２】図１の天板を有するテーブルの平面図である。
【図３】図２の矢視Ａから見た側面図（ａ）、及び図２の矢視Ｂから見た側面図（ｂ）である。
【図４】同テーブルを２台用いた配置形態を示す平面図である。
【図５】同テーブルを３台用いた配置形態の一例を示す平面図（ａ）、及び別例を示す平面図（ｂ）である。
【図６】同テーブルを５台用いた配置形態を示す平面図である。
【図７】同テーブルを６台用いた配置形態を示す平面図である。
【符号の説明】
【００２３】
１（Ａ〜Ｆ）    組合せテーブル
２（Ａ〜Ｆ）    天板
３〜６          脚
ａ              天板の底辺
ｂ              天板の上辺
ｃ，ｄ          天板の斜辺
【図１】
0003128323.tif 000003
【図２】
0003128323.tif 000004
【図３】
0003128323.tif 000005
【図４】
0003128323.tif 000006
【図５】
0003128323.tif 000007
【図６】
0003128323.tif 000008
【図７】
0003128323.tif 000009